(57)【要約】【課題】  ラインにおいて結び目を作る際に、結び目からはみ出した釣り糸を把持して引っ張ることを容易に実施し、前記結び目からはみ出した釣り糸を容易に切断するラインカッターを提供する。【解決手段】  ラインカッター(10)は、互いに協働して糸状部材(41)を挟んで把持する一対の把持部(21a,21b)を有する把持具(20)と、前記糸状部材(41)を互いに協働して挟んで切断する一対の切断刃(31a,31b)を有する切断具(30)と、を備える。  前記把持具(20)と前記切断具(30)とを形成する部材の一部を一の部材とすることで共通化し、一体的に形成する。【選択図】  図１
2014128335.tif 000002
【特許請求の範囲】
【請求項１】
互いに協働して糸状部材を挟んで把持する一対の把持部を有する把持具と、前記糸状部材を互いに協働して挟んで切断する一対の切断刃を有する切断具と、を備え、
前記把持具および前記切断具を形成する部材の一部を一の部材とすることで共通化して一体的に形成したラインカッター。
【請求項２】
前記把持具の一方の把持部を、板状の基材の一端に備えるとともに、前記切断具の一方の切断刃を前記基材の他端に備え、
前記基材の一端側に対向して配置した板状の把持側部材と、前記基材の他端側に対向して配置した板状の切断側部材と、を備え、
前記把持側部材の先端に、前記基材の一端側の一方の把持部と協働して糸状部材を挟んで把持する前記把持具の他方の把持部を備え、
前記切断側部材の先端に、前記基材の他端側の一方の切断刃と協働して糸状部材を挟んで切断する前記切断具の他方の切断刃を備えた請求項１に記載のラインカッター。
【請求項３】
前記板状の基材は、当該基材の一端および当該基材の他端を、ほぼ一直線上に配置した平面形状である請求項２に記載のラインカッター。
【請求項４】
前記把持具は、互いに対向して配置した、板状の第一の把持側部材と板状の第二の把持側部材とで構成し、前記一対の把持部は、前記第一の把持側部材の先端と、前記第二の把持側部材の先端に、互いに対向して配置し、
前記切断具は、互いに対向して配置した、板状の第一の切断側部材と板状の第二の切断側部材とで構成し、前記一対の切断刃は、前記第一の切断側部材の先端と、前記第二の切断側部材の先端に、互いに対向して配置し、
前記把持具の後端側と前記切断具の後端側を、互いに回動可能に固定した請求項１に記載のラインカッター。
【請求項５】
前記把持具は、前記切断具の第一の切断側部材と第二の切断側部材との間において収納可能であるように回動自在とした請求項４に記載のラインカッター。
【請求項６】
前記切断具は、前記把持具の第一の把持側部材と第二の把持側部材との間において収納可能であるように回動自在とした請求項４に記載のラインカッター。
【請求項７】
前記切断具は、互いに対向して配置した、板状の第一の切断側部材と板状の第二の切断側部材とで構成し、前記一対の切断刃は、前記第一の切断側部材の先端と、前記第二の切断側部材の先端に対向して配置し、
前記把持具は、前記第一の切断側部材の内側に突出した第一の把持部と、前記第一の把持部と協働して糸状部材を挟んで把持するように、前記第二の切断側部材の内側に突出した第二の把持部と、で構成した請求項１に記載のラインカッター。
【発明の詳細な説明】
【技術分野】
【０００１】
本発明は、釣り糸（ライン）において結び目を作る際に、結び目からはみ出した釣り糸を把持して引っ張り、次いで、前記結び目からはみ出した釣り糸を切断するラインカッターに関する。
【背景技術】
【０００２】
釣り人は、釣り場にて、釣針、浮き、餌かご、ガン玉（錘）などの仕掛けを釣り糸（ライン）へ取り付ける。その際、釣り糸（ライン）において結び目を作ることになる。その際に、結び目を固く縛る必要がある。
また、結び目からはみ出す部分が生じるが、そのはみ出した部分を切断して除去することが望ましい。
【０００３】
一般的な釣り人は、前記ラインにおいて結び目を作るには、前記結び目からはみ出した釣り糸の先端部分を把持して引っ張ることによって、前記結び目を固く縛ることになる。しかし、前記はみ出し部分を引っ張るには、ある程度の長さが必要となる。例えば、前記はみ出し部分の釣り糸を指に絡ませて引っ張ったり、あるいは釣り人自身の歯で噛んで引っ張ったりする。
指を痛めたり歯を痛めたりしたくない釣り人は、小さなプライヤなどを用いて結び目を固く縛り、ラインカッターにて前記のはみ出し部分を切断している。
【０００４】
従来のラインカッターとしては、特許文献１に示されているように糸状部材（ライン、釣り糸）の一部を任意に固定することが可能な固定部と、前記固定部に近接して配置された刃部と、を備えている。前記刃部は、前記固定部にて固定されていない糸状部材の部分を、例えば手で把持して当該刃部に摺接可能に構成される。
【０００５】
また、従来の別のラインカッター６０としては、図７に示すように先端部が対向するように配置された板状の把持部材６１，６２を備えている。前記一対の把持部材６１，６２の各先端部は、互いに協働して釣り糸（ライン）を切断する一対の刃部６３，６４を形成している。前記一対の把持部材６１，６２の後端部は、例えばスポット溶接などで固定している。さらに、前記先端部の一部は前記刃部６３を形成しない刃部なし部６５を設けている。その刃部なし部６５の付近の把持部材６１，６２にて、例えばガン玉（錘）を挟んで押圧し、前記ガン玉（錘）をカシメにて釣り糸（ライン）へ固定する。
【０００６】
【特許文献１】特開２００７−２０９５５５号公報
【発明の概要】
【発明が解決しようとする課題】
【０００７】
特許文献１のラインカッターは、特にポリエチレンマルチフィラメントなどのように高強度のラインを容易に切断するために開発されたものであって、前記結び目を固く縛るための機能を備えていない。したがって、ラインカッターとしては優れているものの、プライヤなどが別途必要となる。
図６に示すラインカッター６０も同様であり、前記結び目を固く縛るための機能を備えていない。
【０００８】
本発明が解決しようとする課題は、釣り糸（ライン）において結び目を作る際に、結び目からはみ出した釣り糸を把持して引っ張ることを容易に実施すると共に、前記結び目からはみ出した釣り糸を容易に切断するラインカッターを提供することにある。
【課題を解決するための手段】
【０００９】
（第一の発明）
本願における第一の発明は、  互いに協働して糸状部材(41)を挟んで把持する一対の把持部(21a,21b)を有する把持具(20)と、前記糸状部材(41)を互いに協働して挟んで切断する一対の切断刃(31a,31b)を有する切断具(30)と、を備え、  前記把持具(20)および前記切断具(30)を形成する部材の一部を一の部材とすることで共通化して一体的に形成したラインカッター(10)に係る。
【００１０】
（用語説明）
「糸状部材」とは、例えば、釣り糸（ライン）において仕掛けを取り付けるために、結び目を作る際に用いる釣り糸などをいう。
【００１１】
（作用）
例えば、釣り糸（ライン）において結び目を作る際、前記結び目からはみ出した糸状部材(41)を、把持具(20)の一対の把持部(21a,21b)の間で挟んで把持して引っ張る。前記結び目は容易に固く縛られる。次いで、前記結び目からはみ出した糸状部材(41)を、前記切断具(30)の一対の切断刃(31a,31b)の間で挟んで切断する。本発明に係るラインカッター(10)は、釣り人が行っている前記結び目を固く縛ることと、前記結び目からはみ出した糸状部材(41)を切断することの一連の動作を容易化できる。
【００１２】
（第一の発明のバリエーション１）
第一の発明は、以下のようなバリエーションのラインカッター(10a)を提供することもできる。
すなわち、  ラインカッター(10a)は、前述したラインカッター(10)において、前記把持具(20)の一方の把持部(21a)を、板状の基材(11)の一端に備えるとともに、前記切断具(30)の一方の切断刃(31a)を前記基材(11)の他端に備え、  前記基材(11)の一端側に対向して配置した板状の把持側部材(22)と、前記基材(11)の他端側に対向して配置した板状の切断側部材(32)と、を備え、  前記把持側部材(22)の先端に、前記基材(11)の一端側の一方の把持部(21a)と協働して糸状部材(41)を挟んで把持する前記把持具(20)の他方の把持部(21b)を備え、  前記切断側部材(32)の先端に、前記基材(11)の他端側の一方の切断刃(31a)と協働して糸状部材(41)を挟んで切断する前記切断具(30)の他方の切断刃(31b)を備える。
【００１３】
（作用）
ラインにおいて結び目を作る際、前記結び目からはみ出した糸状部材(41)を、把持具(20)の一対の把持部(21a,21b)の間で挟んで把持して引っ張る。前記結び目は容易に固く縛られる。次いで、ラインカッター(10a)を持ちかえて、前記結び目からはみ出した糸状部材(41)を、前記切断具(30)の一対の切断刃(31a,31b)の間で挟んで切断する。つまり、ラインカッター(10a)を用いて、前記結び目を固く縛ることと、前記結び目からはみ出した糸状部材(41)を切断することの一連の動作を簡単に実施することとなる。
また、板状の基材(11)が、前記把持具(20)と前記切断具(30)に対して共通することで、部材の点数が減ることになる。
【００１４】
（第一の発明のバリエーション２）
第一の発明は、以下のようなバリエーションのラインカッター(10b)を提供することもできる。
すなわち、  ラインカッター(10b)は、前述したラインカッター(10a)において、前記板状の基材(11)は、当該基材(11)の一端および当該基材(11)の他端を、ほぼ一直線上に配置した平面形状であるとしてもよい。
【００１５】
（作用）
一対の把持部(21a,21b)、および一対の切断刃(31a,31b)が、一直線上に位置するので、前記把持具(20)を用いて結び目を固く縛った後に、ラインカッター(10b)を持ちかえることなく、そのままの姿勢で前記切断具(30)を使用することができる。すなわち、前記結び目からはみ出した糸状部材(41)を、一対の切断刃(31a,31b)の間で挟んで容易に切断する。
【００１６】
（第一の発明のバリエーション３）
第一の発明は、以下のようなバリエーションのラインカッター(10c)を提供することもできる。
すなわち、  ラインカッター(10c)は、前述したラインカッター(10)において、前記把持具(20)は、互いに対向して配置した、板状の第一の把持側部材(22a)と板状の第二の把持側部材(22b)とで構成し、前記一対の把持部(21a,21b)は、前記第一の把持側部材(22a)の先端と、前記第二の把持側部材(22b)の先端に、互いに対向して配置し、  前記切断具(30)は、互いに対向して配置した、板状の第一の切断側部材(32a)と板状の第二の切断側部材(32b)とで構成し、前記一対の切断刃(31a,31b)は、前記第一の切断側部材(32a)の先端と、前記第二の切断側部材(32b)の先端に、互いに対向して配置し、  前記把持具(20)の後端側と前記切断具(30)の後端側を、互いに回動可能に固定することとしてもよい。
【００１７】
（作用）
ラインにおいて結び目を作る際、前記把持具(20)と前記切断具(30)を開くように回動する。前記把持具(20)を用いて前記結び目を固く縛り、前記切断具(30)を用いて前記結び目からはみ出した糸状部材(41)を切断することの一連の動作を実施する。その後、前記把持具(20)と前記切断具(30)を閉じるように回転させる。ラインカッター(10c)は、使用していない場合にはコンパクトである。
【００１８】
（第一の発明のバリエーション４）
第一の発明は、以下のようなバリエーションを提供することもできる。
すなわち、  前述したラインカッター(10c)において、前記把持具(20)は、前記切断具(30)の第一の切断側部材(32a)と第二の切断側部材(32b)との間へ収納可能であるように回動自在としてもよい。
【００１９】
（作用）
ラインにおいて結び目を作る際、前記把持具(20)を、前記切断具(30)の第一の切断側部材(32a)と第二の切断側部材(32b)との間から回動して取り出す。前記把持具(20)を用いて前記結び目を固く縛り、前記切断具(30)を用いて前記結び目からはみ出した糸状部材(41)を切断することの一連の動作を実施する。その後、前記把持具(20)を、前記切断具(30)における第一の切断側部材(32a)と第二の切断側部材(32b)との間へ回動してコンパクトに収容する。
【００２０】
（第一の発明のバリエーション５）
第一の発明は、以下のようなバリエーションを提供することもできる。
すなわち、  前述したラインカッター(10c)において、前記切断具(30)は、前記把持具(20)の第一の把持側部材(22a)と第二の把持側部材(22b)との間において収納可能であるように回動自在に形成してもよい。
【００２１】
（作用）
ラインにおいて結び目を作る際、前記切断具(30)を、前記把持具(20)の第一の把持側部材(22a)と第二の把持側部材(22b)との間から回動して開く。前記把持具(20)を用いて前記結び目を固く縛り、前記切断具(30)を用いて前記結び目からはみ出した糸状部材(41)を切断することの一連の動作を実施する。その後、前記切断具(30)を、前記把持具(20)の第一の把持側部材(22a)と第二の把持側部材(22b)との間へ回動してコンパクトに収容する。
【００２２】
（第一の発明のバリエーション６）
第一の発明は、以下のようなバリエーションのラインカッター(10d)を提供することもできる。
すなわち、  ラインカッター(10d)は、前述したラインカッター(10)において、前記切断具(30)は、互いに対向して配置した、板状の第一の切断側部材(32a)と板状の第二の切断側部材(32b)とで構成し、前記一対の切断刃(31a,31b)は、前記第一の切断側部材(32a)の先端と、前記第二の切断側部材(32b)の先端に対向して配置し、  前記把持具(20)は、前記第一の切断側部材(32a)の内側に突出した第一の把持部(21c)と、前記第一の把持部(21c)と協働して糸状部材(41)を挟んで把持するように、前記第二の切断側部材(32b)の内側に突出した第二の把持部(21d)と、で構成してもよい。
【００２３】
（作用）
ラインにおいて結び目を作る際、前記結び目からはみ出した糸状部材(41)を、把持具(20)の第一の把持部(21c)と第二の把持部(21d)との間で挟んで把持して引っ張る。前記結び目は容易に固く縛られる。次いで、ラインカッター(10d)を持ちかえることなく、そのままの姿勢で前記切断具(30)を使用する。すなわち、前記結び目からはみ出した糸状部材(41)を、前記切断具(30)の一対の切断刃(31a,31b)の間で挟んで容易に切断する。また、第一の把持部(21c)と第二の把持部(21d)を、切断具(30)の第一の切断側部材(32a)と第二の切断側部材(32b)との内側に設けたので、部材の点数が減ることになる。
【発明の効果】
【００２４】
第一の発明によれば、釣り糸（ライン）において結び目を作る際に、結び目からはみ出した釣り糸を把持して容易に引っ張ることができ、前記結び目からはみ出した釣り糸を容易に切断することができるラインカッターを提供することができた。
【図面の簡単な説明】
【００２５】
【図１】図１（ａ）は、本発明の実施形態のラインカッターにおける把持具を用いて結び目からはみ出した釣り糸を把持して引っ張る状態を示す斜視図である。図１（ｂ）は、図１（ａ）のラインカッターにおける切断具を用いて前記結び目からはみ出した釣り糸を切断する状態を示す斜視図である。
【図２】図２（ａ）は、第一の実施形態のラインカッターを示す斜視図である。図２（ｂ）は、図２（ａ）のラインカッターの側面図である。図２（ｃ）は、図２（ａ）のラインカッターの分解側面図である。
【図３】図３（ａ）は、第二の実施形態のラインカッターを示す斜視図である。図３（ｂ）は、図３（ａ）のラインカッターの分解斜視図である。
【図４】図４（ａ）は、第三の実施形態のラインカッターを示す斜視図である。図４（ｂ）は、図４（ａ）のラインカッターにおける把持具と切断具を開いた状態の斜視図である。
【図５】図５（ａ）は、第四の実施形態のラインカッターを示す斜視図である。図５（ｂ）は、図５（ａ）のラインカッターにおける把持具にて釣り糸を把持した状態の縦断面図である。
【図６】第五（ａ）および第六（ｂ）の実施形態のラインカッターを示す側面図である。
【図７】従来のラインカッターの一例を示す斜視図である。
【発明を実施するための形態】
【００２６】
以下、本発明の実施形態について図面を参照して説明する。
本発明の実施形態に係るラインカッター１０は、図１に示すように、例えば釣り糸からなるラインにおいて釣針４３などの仕掛けを取り付けるために糸状部材４１（以下、本実施形態では「釣り糸」という）を用いて結び目４２を作る際に用いる。すなわち、図１（ａ）に示すように、前記結び目４２を固く縛るために前記結び目４２からはみ出した釣り糸４１を把持して引っ張るための把持具２０と、図１（ｂ）に示すように、前記結び目４２からはみ出した釣り糸４１を切断する切断具３０と、を備える。
【００２７】
基本的に、前記ラインカッター１０は、図２（ａ）〜図２（ｃ）に示すように、互いに協働して前記釣り糸４１を挟んで把持する一対の把持部２１ａ，２１ｂを有する把持具２０と、前記釣り糸４１を互いに協働して挟んで切断する一対の切断刃３１ａ，３１ｂを有する切断具３０と、を備えている。しかも、前記把持具２０と前記切断具３０とを一体的に形成したものである。
【００２８】
第一の実施形態に係るラインカッター１０ａは、図２（ａ）および図２（ｂ）に示すように、板状の基材１１の一端に、前記把持具２０の一方の把持部２１ａを備える。さらに、前記基材１１の他端に、前記切断具３０の一方の切断刃３１ａを備える。
また、前記基材１１の一端側〔図２（ｂ）において長手方向のほぼ中央より右端側〕に対向して板状の把持側部材２２を配置し、前記把持側部材２２の図２（ｂ）において左端側を前記基材１１の長手方向のほぼ中央へ例えばスポット溶接１２にて固定している。
【００２９】
さらに、前記把持側部材２２の図２（ｂ）において右側の先端に、前記基材１１の一端側の一方の把持部２１ａと協働して釣り糸４１を挟んで把持する前記把持具２０の他方の把持部２１ｂを備えている。なお、前記把持側部材２２は弾性を有し、前記把持部２１ａと前記把持部２１ｂは、常時、互いに離反した状態である。また、上記の固定方法としてはスポット溶接に限定されず、他の方法でも良い。
【００３０】
一方、前記基材１１の他端側〔図２（ｂ）において長手方向のほぼ中央より左端側〕に対向して板状の切断側部材３２を配置し、前記切断側部材３２の図２（ｂ）において右端側を前記基材１１の長手方向のほぼ中央へ例えばスポット溶接１２にて固定している。さらに、前記切断側部材３２の図２（ｂ）において左側の先端に、前記基材１１の他端側の一方の切断刃３１ａと協働して釣り糸４１を挟んで切断する前記切断具３０の他方の切断刃３１ｂを備えている。
なお、前記切断側部材３２は弾性を有し、前記切断刃３１ａと前記切断刃３１ｂは、常時、互いに離反した状態である。また、上記の固定方法としてはスポット溶接に限定されず、他の方法でも良い。
【００３１】
上述した第一の実施形態のラインカッター１０ａにおける作用および効果について説明する。
ラインにおいて結び目４２を作る際、図１（ａ）に示すように、前記結び目４２からはみ出した釣り糸４１を、ラインカッター１０ａにおける把持具２０の一対の把持部２１ａ，２１ｂの間で挟んで把持して引っ張ることができる。したがって、指や歯を用いなくても前記結び目４２を固く縛る動作が容易となる。
【００３２】
次いで、前記切断具３０を使用できるようにラインカッター１０ａを持ちかえる動作が容易である。前記結び目４２からはみ出した釣り糸４１を、前記切断具３０の一対の切断刃３１ａ，３１ｂの間で挟んで容易に切断することができる。
したがって、ラインカッター１０ａを用いて、前記結び目４２を固く縛ることと、前記結び目４２からはみ出した釣り糸４１を切断することの一連の動作を簡単に実施できる。
また、板状の基材１１が、前記把持具２０と前記切断具３０に対して共通する部材となるので、製造し易く、低コスト化に寄与する。
【００３３】
本発明の第二の実施形態に係るラインカッター１０ｂは、前述した第一の実施形態のラインカッター１０ａの変形である。第一の実施形態と異なる点を説明し、同様の部材は同符号を付して説明する。
ラインカッター１０ｂは、図３（ａ）に示すように、前記把持具２０の一対の把持部２１ａ，２１ｂと、前記切断具３０の一対の切断刃３１ａ，３１ｂが、ほぼ一直線上に配置されたものである。
【００３４】
板状の基材１１は、図３（ｂ）に示すように、前述した第一の実施形態の前記基材１１の変形であり、平面でほぼコ字形状である。すなわち、前記基材１１の一端〔図３（ｂ）において右上側片の先端〕および前記基材１１の他端〔図３（ｂ）において左下側片の先端〕が、ほぼ一直線上に位置する平面形状である。その平面形状は、Ｕ字形状あるいはＶ字形状でもよく、特に限定されない。また、前記基材１１の一端に、前記把持具２０の一方の把持部２１ａを備える。さらに、前記基材１１の他端に、前記切断具３０の一方の切断刃３１ａを備える。
【００３５】
前記基材１１の一端側〔図３（ｂ）において右上側片〕に対向して板状の把持側部材２２を配置し、前記把持側部材２２の図３（ｂ）において左斜め上の後端側を前記基材１１へ例えばスポット溶接１２にて固定している。さらに、前記把持側部材２２の先端に、前記基材１１の一端側の一方の把持部２１ａと協働して釣り糸４１を挟んで把持する前記把持具２０の他方の把持部２１ｂを備えている。なお、前記把持側部材２２は弾性を有し、前記把持部２１ａと前記把持部２１ｂは、常時、互いに離反した状態である。また、上記の固定方法としてはスポット溶接に限定されず、他の方法でも良い。
【００３６】
一方、前記基材１１の他端側〔図３（ｂ）において左下側片〕に対向して板状の切断側部材３２を配置し、前記切断側部材３２の図３（ｂ）において左斜め上の後端側を前記基材１１へ例えばスポット溶接１２にて固定している。さらに、前記切断側部材３２の先端に、前記基材１１の他端側の一方の切断刃３１ａと協働して釣り糸４１を挟んで切断する前記切断具３０の他方の切断刃３１ｂを備えている。なお、前記切断側部材３２は弾性を有し、前記切断刃３１ａと前記切断刃３１ｂは、常時、互いに離反した状態である。また、上記の固定方法としてはスポット溶接に限定されず、他の方法でも良い。
【００３７】
上述した第二の実施形態のラインカッター１０ｂにおける作用、効果は、基本的に第一の実施形態のラインカッター１０ａの場合とほぼ同様である。
ラインにおいて結び目４２を作る際、前記結び目４２からはみ出した釣り糸４１を、ラインカッター１０ｂにおける把持具２０の一対の把持部２１ａ，２１ｂの間で挟んで把持して引っ張ることができる。したがって、指や歯を用いなくても前記結び目４２を固く縛る動作が容易となる。
【００３８】
次いで、一対の把持部２１ａ，２１ｂ、および一対の切断刃３１ａ，３１ｂが一直線上に位置しているので、第一の実施形態のラインカッター１０ａのように持ちかえることなく、そのままの姿勢で前記切断具３０を使用できる。すなわち、前記結び目４２からはみ出した釣り糸４１を、前記切断具３０の一対の切断刃３１ａ，３１ｂの間で挟んで容易に切断することができる。
したがって、ラインカッター１０ｂを用いて、前記結び目４２を固く縛ることと、前記結び目４２からはみ出した釣り糸４１を切断することの一連の動作を簡単に実施できる。
また、板状の基材１１が、前記把持具２０と前記切断具３０に対して共通する部材となるので、製造し易く、低コスト化に寄与する。
【００３９】
本発明の第三の実施形態に係るラインカッター１０ｃについて説明する。なお、第一の実施形態と同様の部材は同符号を付して説明する。
ラインカッター１０ｃは、図４（ａ）および図４（ｂ）に示すように、把持具２０と切断具３０が互いに回動可能となるように、前記把持具２０の後端側と前記切断具３０の後端側を、例えば固定ピン１３などの固定具にて一体的に固定している。
【００４０】
前記把持具２０は、板状の第一の把持側部材２２ａと板状の第二の把持側部材２２ｂを、互いに対向して配置する。前記第一の把持側部材２２ａの先端には、前記把持具２０の一方の把持部２１ａを備えている。前記第二の把持側部材２２ｂの先端には、前記把持部２１ａと協働して釣り糸４１を挟んで把持する前記把持具２０の他方の把持部２１ｂを備えている。なお、前記第一の把持側部材２２ａおよび前記第二の把持側部材２２ｂは弾性を有し、前記把持部２１ａと前記把持部２１ｂは、常時、互いに離反した状態である。
【００４１】
前記切断具３０は、板状の第一の切断側部材３２ａと板状の第二の切断側部材３２ｂを、互いに対向して配置する。前記第一の切断側部材３２ａの先端には、前記切断具３０の一方の切断刃３１ａを備えている。前記第二の把持側部材２２ｂの先端には、前記切断刃３１ａと協働して釣り糸４１を挟んで把持する前記把持具２０の他方の切断刃３１ｂを備えている。なお、前記第一の切断側部材３２ａおよび前記第二の切断側部材３２ｂは弾性を有し、前記切断刃３１ａと前記切断刃３１ｂは、常時、互いに離反した状態である。
【００４２】
前記把持具２０の第一の把持側部材２２ａの後端側と第二の把持側部材２２ｂの後端側を重ね合わせる。さらに、前記第一の把持側部材２２ａの後端側の外側に、前記切断具３０の第一の切断側部材３２ａの後端側を重ね合わせるとともに、前記第二の把持側部材２２ｂの後端側の外側に、前記切断具３０の第二の切断側部材３２ｂの後端側を重ね合わせる。それらの重ね合わせた各部材を、例えば固定ピン１３などの固定具にて一体的に固定し、前記把持具２０と前記切断具３０を互いに回動可能としている。すなわち、前記把持具２０が、前記切断具３０の第一の切断側部材３２ａと第二の切断側部材３２ｂとの間に収納可能となる。
なお、前記第一の把持側部材２２ａと第二の把持側部材２２ｂは後端側で連結され、第一の切断側部材３２ａと第二の切断側部材３２ｂは後端側で連結されていることが望ましい。
【００４３】
上述した第三の実施形態のラインカッター１０ｃにおける作用、効果は、基本的に第一の実施形態のラインカッター１０ａの場合とほぼ同様である。
ラインにおいて結び目４２を作る際、図４（ｂ）に示すように、ラインカッター１０ｃの前記把持具２０を、前記切断具３０の第一の切断側部材３２ａと第二の切断側部材３２ｂとの間から回動して取り出す。前記結び目４２からはみ出した釣り糸４１を、把持具２０の一対の把持部２１ａ，２１ｂの間で挟んで把持して引っ張り、前記結び目４２を容易に固く縛ることができる。したがって、指や歯を用いなくても前記結び目４２を固く縛る動作が容易となる。
【００４４】
次いで、前記切断具３０を使用できるようにラインカッター１０ｃを容易に持ちかえることができる。前記結び目４２からはみ出した釣り糸４１を、前記切断具３０の一対の切断刃３１ａ，３１ｂの間で挟んで容易に切断することができる。
したがって、ラインカッター１０ｃを用いて、前記結び目４２を固く縛ることと、前記結び目４２からはみ出した釣り糸４１を切断することの一連の動作を簡単に実施できる。ラインカッター１０ｃを使用した後は、前記把持具２０を、前記切断具３０における第一の切断側部材３２ａと第二の切断側部材３２ｂとの間へ回動してコンパクトに収容することができる。
【００４５】
なお、上記の実施形態のラインカッター１０ｃの変形例として、前記切断具３０を、前記把持具２０の第一の把持側部材２２ａと第二の把持側部材２２ｂとの間に収納可能とすることもできる。その構成は、前記切断具３０と前記把持具２０とを逆に入れ替えた構成であるので、詳しい説明は省略する。その作用、効果は、上記のラインカッター１０ｃと同様である。
【００４６】
本発明の第四の実施形態に係るラインカッター１０ｄについて説明する。なお、第一の実施形態と同様の部材は同符号を付して説明する。
ラインカッター１０ｄは、図５（ａ）および図５（ｂ）に示すように、切断具３０の内部に把持具２０を一体的に形成したものである。
【００４７】
前記切断具３０は、板状の第一の切断側部材３２ａと板状の第二の切断側部材３２ｂを、互いに対向して配置する。前記第一の切断側部材３２ａの先端には、前記切断具３０の一方の切断刃３１ａを備えている。前記第二の切断側部材３２ｂの先端には、前記切断刃３１ａと協働して釣り糸４１を挟んで把持する前記切断具３０の他方の切断刃３１ｂを備えている。前記第一の切断側部材３２ａの後端側と第二の切断側部材３２ｂの後端側を重ね合わせ、その重ね合わせた箇所を例えばスポット溶接１２にて固定している。なお、前記第一の切断側部材３２ａおよび前記第二の切断側部材３２ｂは弾性を有し、前記切断刃３１ａと前記切断刃３１ｂは、常時、互いに離反した状態である。
【００４８】
前記把持具２０は、前記第一の切断側部材３２ａの内側に、第一の把持部２１ｃを突出し、前記第二の切断側部材３２ｂの内側に、前記第一の把持部２１ｃと協働して釣り糸４１を挟んで把持する第二の把持部２１ｄを突出している。なお、図５では、前記第一の把持部２１ｃは凸部とし、前記第二の把持部２１ｄは前記第一の把持部２１ｃの凸部との間で釣り糸４１を把持できるように、ゆるく嵌め合わせ可能な凹部としている。
【００４９】
上述した第四の実施形態のラインカッター１０ｄにおける作用、効果は、基本的に第一の実施形態のラインカッター１０ａの場合とほぼ同様である。
ラインにおいて結び目４２を作る際、図５（ｂ）に示すように、前記結び目４２からはみ出した釣り糸４１を、ラインカッター１０ｄにおける把持具２０の第一の把持部２１ｃと第二の把持部２１ｄとの間で挟んで把持して引っ張り、指や歯を用いなくても前記結び目４２を固く縛ることが容易である。
【００５０】
次いで、第一の実施形態に係るラインカッター１０ａのように持ちかえることなく、そのままの姿勢で前記切断具３０を使用できる。すなわち、前記結び目４２からはみ出した釣り糸４１を、前記切断具３０の一対の切断刃３１ａ，３１ｂの間で挟んで容易に切断することができる。
したがって、ラインカッター１０ｄを用いて、前記結び目４２を固く縛ることと、前記結び目４２からはみ出した釣り糸４１を切断することの一連の動作を簡単に実施できる。また、第一の把持部２１ｃと第二の把持部２１ｄを、切断具３０の第一の切断側部材３２ａと第二の切断側部材３２ｂとの内側に設けたことから、部材の点数が減るので、低コスト化に寄与する。
【００５１】
図６（ａ）には、図２に示したラインカッター１０ａのバリエーションを示す。すなわち、図６（ａ）に示すラインカッター１０ｅは、把持側部材２２および切断側部材３２のスポット溶接の位置を異ならせて形成している。
把持側部材２２は中央よりも切断刃３１ａの側に寄せて、切断側部材３２は中央よりも把持部２１ａ側に寄せて、それぞれスポット溶接しているので、このラインカッター１０ｅは、ラインカッター１０ａよりも全長を短く形成できる。
【００５２】
図６（ｂ）もまた、図２に示したラインカッター１０ａのバリエーションを示す。すなわち、コ字形をなす基材１１ａの両端に、把持部２１ａと切断刃３１ａを形成し、同じものを二つ用意する。そして、Ω字形に折り曲げ、互いの中央をスポット溶接することでラインカッター１０ｆを形成する。
ラインカッター１０ｆは、形成する部品の共通化が、他の実施形態よりも進んでいる。
【００５３】
なお、図６（ｂ）に示すラインカッター１０ｆにおいては、把持側部材よりも切断側部材がやや長くなるように形成したが、他のラインカッターにおいても、把持側部材と切断側部材とが同じ割合になっていなくてもよい。異ならせる実施形態の場合、使いたい側を視覚的に捉えることができる、というメリットも生じる。
【産業上の利用可能性】
【００５４】
本発明は、釣り具の製造業、釣り具のレンタル業、釣船や釣り堀などによる釣り関連のサービス業において、利用可能性を有する。
【符号の説明】
【００５５】
１０，１０ａ，１０ｂ，１０ｃ，１０ｄ，１０ｅ，１０ｆ；  ラインカッター
１１；  基材                      １２；  スポット溶接
１３；  固定ピン
２０；  把持具                    ２１ａ，２１ｂ；  把持部
２１ｃ；第一の把持部 ２１ｄ；第二の把持部
２２；  把持側部材
２２ａ；第一の把持側部材          ２２ｂ；第二の把持側部材
３０；  切断具                    ３１ａ，３１ｂ；切断刃
３２；  切断側部材
３２ａ；第一の切断側部材          ３２ｂ；第二の切断側部材
４１；  釣り糸（糸状部材）        ４２；  結び目
４３；  釣針
【図１】
2014128335.tif 000003
【図２】
2014128335.tif 000004
【図３】
2014128335.tif 000005
【図４】
2014128335.tif 000006
【図５】
2014128335.tif 000007
【図６】
2014128335.tif 000008
【図７】
2014128335.tif 000009